(57)【要約】【課題】電子雑誌の記事等のコンテンツに関連付けられた、動画等の再生可能な関連情報を視聴するための操作を簡便にする。【解決手段】本発明のテレビ１００は、複数のコンテンツを表示するコンテンツ表示装置であって、表示されたコンテンツのいずれかを選択する指示である選択指示を受け付けるリモコン信号受信部１０４と、選択指示によって指定されるコンテンツに関連付けられている関連情報１３を検出する関連情報検出部１１４と、関連情報検出部１１４によって検出された関連情報１３を再生する関連情報処理部１１５とを備える。これにより、ユーザはコンテンツを指定するだけで、当該コンテンツに関連付けられた関連情報１３が再生される。【選択図】図１
2009043194.tif 000002
【特許請求の範囲】
【請求項１】
複数のコンテンツを表示するコンテンツ表示装置であって、
表示された上記コンテンツのいずれかを選択する指示である選択指示を受け付ける指示受付手段と、
上記選択指示によって指定されるコンテンツに関連付けられている上記関連情報を検出する関連情報検出手段と、
上記関連情報検出手段によって検出された上記関連情報を再生する関連情報処理手段とを備えることを特徴とするコンテンツ表示装置。
【請求項２】
上記関連情報処理手段は、
上記指示受付手段が受け付けた上記選択指示によって特定されるコンテンツの表示領域内で、上記関連情報を再生するものであることを特徴とする請求項１に記載のコンテンツ表示装置。
【請求項３】
上記指示受付手段が、上記選択指示を受け付けたとき、
上記関連情報処理手段が、当該選択指示によって特定されるコンテンツの表示領域のうち、少なくとも一部の領域に表示されていたコンテンツの一部を、上記関連情報に置換して再生するものであることを特徴とする請求項１又は２に記載のコンテンツ表示装置。
【請求項４】
上記コンテンツが静止画像を含むものであり、上記関連情報が動画であり、
上記関連情報処理手段が、上記静止画等の表示領域を上記動画に置換して再生するものであることを特徴とする請求項３に記載のコンテンツ表示装置。
【請求項５】
上記指示受付手段が、上記選択指示を受け付けた後に、当該選択指示によって特定されたコンテンツの選択を解除する解除指示を受け付けると、
上記関連情報処理手段は、当該解除指示によって特定されるコンテンツに関連付けられた関連情報の再生を停止するものであることを特徴とする請求項１〜４のいずれか１項に記載のコンテンツ表示装置。
【請求項６】
上記コンテンツが、上記関連情報を構成する一部の要素を、当該コンテンツの一部として含むものであることを特徴とする請求項３に記載のコンテンツ表示装置。
【請求項７】
上記関連情報が動画であり、
上記動画を構成するコマを上記コンテンツの一部として表示するものであることを特徴とする請求項３に記載のコンテンツ表示装置。
【請求項８】
上記関連情報処理手段が、上記関連情報の表示条件を変更する変更指示を取得して、当該指示に基づいて当該関連情報の表示条件を変更するものであることを特徴とする請求項１〜４のいずれか１項に記載のコンテンツ表示装置。
【請求項９】
上記関連情報処理手段による上記関連情報の再生の終了時点を記憶する再生状態記憶手段をさらに備え、
上記関連情報処理手段が、当該関連情報を上記終了時点のつづきから再生するものであることを特徴とする請求項５に記載のコンテンツ表示装置。
【請求項１０】
上記指示受付手段が上記コンテンツの表示領域の指定を受け付ける毎に、
上記関連情報処理手段が当該コンテンツに関連付けられている上記関連情報を、最初から再生するものであることを特徴とする請求項５に記載のコンテンツ表示装置。
【請求項１１】
コンテンツに上記関連情報を再生するときの再生方法を指定する記述がさらに関連付けられているとき、
上記関連情報処理手段が、当該関連情報を当該記述に基づいて再生するものであることを特徴とする請求項１〜４のいずれか１項に記載のコンテンツ表示装置。
【発明の詳細な説明】
【技術分野】
【０００１】
本発明は、コンテンツ及び当該コンテンツに関連付けられた再生可能な関連情報を再生するためのコンテンツ表示装置に関するものである。
【背景技術】
【０００２】
近年、インターネットを利用可能なテレビジョン受像機（以下、「テレビ」と表記する）が普及しており、インターネットを介して配信されるコンテンツを大画面のディスプレイに表示して閲覧することが、行なわれるようになっている。
【０００３】
このような大画面テレビによる表示が期待されているコンテンツとして、電子雑誌が挙げられる。紙の雑誌誌面では、文字及び静止画のみで記事が構成されていたが、電子雑誌をテレビに表示すれば、動画や音声により情報を伝達することも可能となる。
【０００４】
特許文献１には、動画を含む電子新聞をテレビに表示する技術が提案されている。
【０００５】
特許文献１に開示の技術は、画像の表示領域ごとに、画像の特性及びユーザの要求に基づいて画像の表示を行なう技術である。具体的には、表示する動画の優先度に応じて、表示品質を決定して、動画を表示する技術である。例えば、テレビに表示した電子新聞上に複数の動画がある場合、記事か広告か等の動画の種類に応じて定めた優先度や予めユーザが定めた優先度に応じて、優先する動画を決定する。
【０００６】
なお、複数の動画から閲覧を希望する動画を選択する技術は、特許文献２でも提案されている。特許文献２には、サムネイル画像が設定されている放送番組等から、ひとつの放送番組等を選択する技術が開示されている。
【０００７】
また、テレビに電子新聞を表示する技術ではないが、非特許文献１に記載のＵＲＬからは、ＰＣのブラウザベースで新聞記事を表示して、動画に関連付けられた静止画をマウスで選択すると、動画再生の操作メニューがポップアップされる電子新聞を閲覧することができる。
【特許文献１】特開２００３−２３５０３０（２００３年８月２２日公開）
【特許文献２】特開２００５−１８４０７１（２００５年７月７日公開）
【非特許文献１】産経新聞社、“「産経ＮｅｔＶｉｅｗ」とは”、［平成１９年６月１８日検索］、インターネット＜URL：http://www.sankei.co.jp/netview/service.html＞
【発明の開示】
【発明が解決しようとする課題】
【０００８】
しかしながら、上記従来の構成では、コンテンツに動画等の再生可能な関連情報が関連付けられていたとしても、当該関連情報を視聴するための操作が煩雑であるという問題を有する。
【０００９】
特許文献１に開示の技術では、ユーザは動画の表示領域を認識した上で選択する必要がある。これでは、ユーザは、どこに動画が関連付けられているかを予め認識する必要がある。また、電子雑誌上に表示される動画は、再生される前、静止画像の状態で表示されることが多いが、全ての静止画像が動画に関連付けられているわけではない。そのため、特許文献１に開示の技術では、ユーザは動画の表示領域を選択したつもりが、単なる静止画像を選択したにすぎなかったという状況も生じる。このような状況では、ユーザが動画の表示領域を認識することも簡便でない。
【００１０】
特許文献２に開示の技術も特許文献１と同様の問題を有する。つまり、ユーザは動画の表示領域を選択する必要があるため、動画を視聴するまでの操作が煩雑である。また、特許文献２に開示の技術は、動画が関連付けられたサムネイル画像を選択することを前提にした技術である。よって、上述した、全ての画像が動画に関連付けられているわけではないため、動画の表示領域を認識することが簡便でなくなるという問題を、特許文献２に開示の技術で解決することはできない。
【００１１】
非特許文献１に開示の技術では、ユーザは動画の表示領域を認識して選択した上で、さらに再生開始等の指示を行なう必要がある。これでは、動画を視聴するための操作がより煩雑である。
【００１２】
本発明は、上記の問題点に鑑みてなされたものであり、その目的は、コンテンツに関連付けられた動画等の関連情報を視聴するための操作が簡便な、コンテンツ表示装置を提供することにある。
【課題を解決するための手段】
【００１３】
上記課題を解決するために、本発明に係るコンテンツ表示装置は、複数のコンテンツを表示するコンテンツ表示装置であって、表示された上記コンテンツのいずれかを選択する指示である選択指示を受け付ける指示受付手段と、上記選択指示によって指定されるコンテンツに関連付けられている上記関連情報を検出する関連情報検出手段と、上記関連情報検出手段によって検出された上記関連情報を再生する関連情報処理手段とを備えることを特徴としている。
【００１４】
上記の構成によれば、上記関連情報検出手段は、上記指示受付手段が受け付けた指示によって指定されるコンテンツに関連付けられた関連情報を検出して、上記関連情報処理手段がこれを再生する。これにより、ユーザはコンテンツを指定するだけで、当該コンテンツに関連付けられた関連情報が再生される。
【００１５】
従来、ユーザは、コンテンツに関連付けられた動画等を視聴するとき、上記特許文献１等のようにどのコンテンツに動画等が関連付けられているかを予め認識し、さらに動画の表示領域を認識した上で再生を指示する必要があった。
【００１６】
これに対し、本発明では、ユーザはコンテンツを選択するだけでよい。つまり、コンテンツに再生可能な関連情報が関連付けられていれば、当該関連情報が再生されるので、ユーザはどのコンテンツに動画が関連付けられているかを予め認識する必要が無い。
【００１７】
よって、コンテンツに関連付けられた動画等の再生可能な関連情報を視聴するための操作が簡便になる。
【００１８】
本発明に係るコンテンツ表示装置では、上記関連情報処理手段は、上記選択指示手段が受け付けた上記選択指示から特定される表示領域内で、上記関連情報を再生するものであることがより好ましい。
【００１９】
上記の構成によれば、上記コンテンツの表示領域内で上記関連情報が再生される。よって、他のコンテンツの視聴に支障を来たさず、上記関連情報を視聴することができる。
【００２０】
本発明に係るコンテンツ表示装置では、上記指示受付手段が、上記選択指示を受け付けたとき、上記関連情報処理手段が、当該選択指示によって特定されるコンテンツの表示領域のうち、少なくとも一部の領域に表示されていたコンテンツの一部を、上記関連情報に置換して再生するものであることがより好ましい。
【００２１】
上記の構成によれば、上記コンテンツの表示設定と上記関連情報の表示設定とを異なる設定にすることが容易となる。例えば、上記の構成では、上記コンテンツの一部に静止画像を表示しておき、当該コンテンツが選択されることで、当該静止画像に置換して動画を再生するように構成できる。この場合、動画の画質によらず、高画質な静止画像を表示することができる。
【００２２】
本発明に係るコンテンツ表示装置では、上記コンテンツが静止画像を含むものであり、上記関連情報が動画であり、上記関連情報処理手段が、上記静止画等の表示領域を上記動画に置換して再生するものであることがより好ましい。
【００２３】
上記の構成によれば、上記静止画像の表示設定と上記動画の表示設定とを異なる設定にすることが容易となる。つまり、静止画像に置換して動画を再生するので、動画の画質によらず、高画質な静止画像を表示することができる。
【００２４】
本発明に係るコンテンツ表示装置では、上記指示受付手段が、上記選択指示を受け付けた後に、当該選択指示によって特定されたコンテンツの選択を解除する解除指示を受け付けると、上記関連情報処理手段は、当該解除指示によって特定されるコンテンツに関連付けられた関連情報の再生を停止するものであってもよい。
【００２５】
上記の構成によれば、ユーザが指定していないコンテンツに関連付けられている関連情報は再生されない。これにより、例えば、複数の関連情報が同時に再生されたり、ユーザが視聴を目的としない関連情報が再生されたりすることがない。よって、ユーザは、目的の関連情報の視聴に集中することができる。
【００２６】
本発明に係るコンテンツ表示装置では、上記コンテンツが、上記関連情報を構成する一部の要素を、当該コンテンツの一部として含むものであってもよい。
【００２７】
上記の構成によれば、上記コンテンツにどのような関連情報が関連付けられているか、その内容を予測することができる。例えば、上記関連情報が動画であり、上記動画を構成するコマを上記コンテンツの一部として表示するものである場合、上記動画を構成するコマのうちの、一つのコマが表示される。よって、ユーザは、当該コマを確認することで当該動画の内容を推測することができる。
【００２８】
本発明に係るコンテンツ表示装置では、上記関連情報が動画であり、上記動画を構成するコマを上記コンテンツの一部として表示するものであってもよい。
【００２９】
上記の構成によれば、上記コンテンツにどのような動画が関連付けられているか、その内容を予測することができる。つまり、ユーザは、上記コマを確認することで当該動画の内容を容易に予測することができる。
【００３０】
本発明に係るコンテンツ表示装置では、上記関連情報処理手段が、上記関連情報の表示条件を変更する指示を取得して、当該指示に基づいて当該関連情報の表示条件を変更するものであってもよい。
【００３１】
上記の構成によれば、上記関連情報処理手段が、関連情報の表示条件の変更指示に従って、関連情報を再生する。
【００３２】
例えば、関連情報が動画であるとき、ユーザがその表示領域を拡大する等の所望の表示条件を指示することで、当該表示条件に応じた、関連情報を視聴することができる。また、動画の再生開始時間から、所定の時間経過後に、表示領域をディスプレイの全画面に変更する指示が自動的に関連情報処理手段に送信される構成としておけば、当該動画をスクリーンセーバとして用いることも可能になる。
【００３３】
本発明に係るコンテンツ表示装置では、上記関連情報処理手段による関連情報の再生の終了時点を記憶する再生状態記憶部をさらに備え、上記関連情報処理手段は、当該関連情報を上記終了時点のつづきから再生するものであってもよい。
【００３４】
上記の構成によれば、上記関連情報処理手段は、前回再生していた関連情報のつづきから、当該関連情報を再生するので、ユーザは、再度最初から当該関連情報を視聴する必要が無くなる。
【００３５】
本発明に係るコンテンツ表示装置では、上記指示受付手段が上記コンテンツの表示領域の指定を受け付ける毎に、上記関連情報処理手段は当該コンテンツに関連付けられている再生可能な関連情報を、最初から再生するものであってもよい。
【００３６】
上記の構成によれば、上記関連情報処理手段は、過去に再生した関連情報であっても、最初から再生する。よって、ユーザは、例えば関連情報の内容を忘れた場合等であっても、再度最初から視聴することで関連情報の内容を把握することができる。
【００３７】
本発明に係るコンテンツ表示装置では、コンテンツに上記関連情報を再生するときの再生方法を指定する記述がさらに関連付けられているとき、上記関連情報処理手段は、当該関連情報を当該記述に基づいて再生するものであってもよい。
【００３８】
上記の構成によれば、上記関連情報処理手段は、関連情報に関連付けられた再生方法を指定する記述に基づいて関連情報を再生する。よって、コンテンツの提供者は、例えば関連情報の内容や種類に応じて、同じ関連情報を再度再生するときの条件を設定することができる。例えば、音楽であれば最初から再生させたり、全ての再生に長時間を要する動画であれば、途中から再生させたりすることができる。
【００３９】
なお、上記コンテンツ表示装置は、コンピュータによって実現してもよく、この場合には、コンピュータを上記各手段として動作させることにより、上記コンテンツ表示装置の各手段をコンピュータにて実現させるプログラム、及びそれを記録したコンピュータ読み取り可能な記録媒体も、本発明の範疇に入る。
【発明の効果】
【００４０】
本発明に係るコンテンツ表示装置は、以上のように、複数のコンテンツを表示するコンテンツ表示装置であって、表示された上記コンテンツのいずれかを選択する指示である選択指示を受け付ける指示受付手段と、上記選択指示によって選択されたコンテンツに関連付けられている関連情報を再生する関連情報処理手段とを備える。これにより、ユーザはコンテンツを指定するだけで、当該コンテンツに関連付けられた関連情報が再生される。
【００４１】
従って、ユーザはどのコンテンツに動画が関連付けられているかを予め認識する必要が無い。よって、コンテンツに関連付けられた動画等の再生可能な関連情報を視聴するための操作が簡便になるという効果を奏する。
【発明を実施するための最良の形態】
【００４２】
以下に本発明の実施の形態について説明する。以下の実施の形態では、本発明を、電子雑誌を表示するテレビに対して適用した場合について説明する。つまり、以下の実施の形態では、本発明に係るコンテンツ表示装置が、記事や広告等のコンテンツを含む電子雑誌を画面上に表示するテレビとして実現されている。ただし、本発明に係るコンテンツ表示装置はテレビに限定されるものではなく、コンテンツは電子雑誌の記事等に限定されるものではない。つまり、本発明に係るコンテンツ表示装置の具体的構成は、コンテンツを表示するものであれば限定されず、チラシ、パンフレット、中吊広告等のコンテンツを実物のレイアウトを再現するように表示する装置としても好適に適用される。
【００４３】
なお、本明細書において「コンテンツ」とは、電子雑誌等を構成する個々の記事を意味し、文書、写真等の静止画、動画又はこれらの組み合わせにより構成される。また、コンテンツは音声を含むものであってもよい。
【００４４】
＜実施の形態１＞
本発明の一実施形態について図１〜図１２に基づいて説明すると以下の通りである。
【００４５】
〔１．テレビ１００の構成〕
まず、図１を用いてテレビ（コンテンツ表示装置）１００の構成について説明する。図１はテレビ１００の概略構成を示すブロック図である。
【００４６】
図１に示すように、テレビ１００は通信部１０１、リモコン信号受信部（指示受付手段）１０４、表示部１０３、記憶部１０２、制御部１１０を備えている。また、テレビ１００は、誌面コンテンツサーバ１０００とデータ通信可能になっている。
【００４７】
また、テレビ１００には、リモコン３００が付属しており、ユーザはリモコン３００を介して、テレビ１００に、電子雑誌の表示やページの切り替え等の指示を与えることができる。リモコン３００については後で詳述する。
【００４８】
通信部１０１は、ネットワークに接続された他の通信装置との間でデータ通信を行なうものである。具体的には、通信部１０１は誌面コンテンツサーバ１０００とデータ通信を行なうものである。なお、誌面コンテンツサーバ１０００は、誌面コンテンツデータ１０及び当該誌面コンテンツデータ１０に関連付けられた関連情報１３を記憶するサーバである。
【００４９】
通信部１０１は、制御部１１０から誌面コンテンツデータ１０を取得するよう指示を受けると、誌面コンテンツサーバ１０００から誌面コンテンツデータ１０を取得する。そして、通信部１０１は、取得した誌面コンテンツデータ１０を後述の誌面コンテンツデータ取得部１１１に出力する。なお、誌面コンテンツデータ１０とは、表示部１０３に表示する電子雑誌を構成するためのデータである。誌面コンテンツデータ１０の詳細は後で述べる。また、通信部１０１は誌面コンテンツデータ１０に関連情報１３が関連付けられているときは、併せて取得する。
【００５０】
記憶部１０２は、通信部１０１が取得した誌面コンテンツデータ１０及び関連情報１３を記憶する装置である。記憶部１０２の具体的な構成は、誌面コンテンツデータ１０を記憶することが可能である限り限定されない。例えば、フラッシュメモリー、ＲＡＭ（random access memory）、ＨＤＤ（ハードディスクドライブ）等により構成してもよい。また、本実施の形態では、記憶部１０２は、テレビ１００に内蔵されているが、外付けであってもよい。
【００５１】
表示部１０３は、誌面コンテンツデータ１０に基づいて構成された電子雑誌を可視的に出力するための装置である。表示部１０３の具体的な構成は、電子雑誌を可視的に出力可能なものである限り限定されない。例えば、ＬＣＤ（液晶ディスプレイ）、ＰＤＰ（プラズマディスプレイ）、ＣＲＴ（cathode-ray tube）ディスプレイ、有機ＥＬディスプレイ等の表示装置によって構成してもよい。なお、表示部１０３は、電子雑誌を表示しないとき、通常のテレビ番組等を表示することができる。
【００５２】
リモコン信号受信部１０４は、本発明に係るコンテンツ表示装置が備える指示受付手段として機能するものである。具体的には、リモコン信号受信部１０４は、リモコン３００から送信された信号を受信して、制御部１１０の各部で処理可能な信号に変換するものである。リモコン信号受信部１０４の具体的な構成は、リモコン３００からの信号を受信して、制御部１１０に処理可能な信号に変換するものである限り、限定されるものではない。例えば、リモコン３００から送信された赤外線を受光して電気信号に変換する赤外線受光装置により構成してもよい。リモコン信号受信部１０４は受信した信号を制御部１１０に出力する。
【００５３】
例えば、リモコン信号受信部１０４は、リモコン３００から、ユーザが電子雑誌中のコンテンツのうち、いずれのコンテンツを指定したかを示す指示（選択指示）を受け付けて、後述のリモコン信号解析部１１２に送信する。
【００５４】
なお、上記選択指示としては、どのコンテンツが指定されたか特定可能である限り限定されるものではない。例えば、コンテンツの表示領域を選択する表示領域選択指示であってもよい。また、１つのコンテンツの表示領域が複数の領域から構成されている場合、当該複数の領域のうち少なくとも１つの領域を選択する指示であってもよく、コンテンツの表示領域のうち少なくとも一部の領域を選択する指示であってもよい。ユーザが上記コンテンツの表示領域の一部を選択するだけで関連情報が再生されるので、ユーザはより簡便に関連情報を視聴することができる。また、コンテンツを表示する画面中にメニュー画面を表示しておき、メニュー上に掲載したコンテンツを特定可能な識別情報を選択する指示、例えばコンテンツに番号を付しておき、その番号をメニュー上に表示しておき、当該番号を指定する指示であってもよい。
【００５５】
制御部１１０は、テレビ１００が備える各部の各種動作を制御するものである。制御部１１０は、誌面コンテンツデータ取得部１１１、リモコン信号解析部１１２、誌面コンテンツデータ処理部１１３、関連情報検出部（関連情報検出手段）１１４、関連情報処理部（関連情報処理手段）１１５を備えている。制御部１１０の具体的構成は、上記各部動作させることが可能である限り限定されるものではないが、例えばＣＰＵ（central processing unit）等の演算装置により構成され、当該演算装置が、記憶部１０２に格納されている制御プログラムを実行することにより、上記各部の機能を実現するように構成してもよい。
【００５６】
誌面コンテンツデータ取得部１１１は、通信部１０１を介して誌面コンテンツデータ１０及び関連情報１３を取得して、取得した誌面コンテンツデータ１０及び関連情報１３を記憶部１０２に出力するものである。これにより記憶部１０２が誌面コンテンツデータ１０及び関連情報１３を記憶する。より具体的には、リモコン信号解析部１１２から、誌面コンテンツデータ１０を取得するよう指示を受けると、誌面コンテンツデータ取得部１１１は通信部１０１に当該指示を伝達する。そして、通信部１０１から誌面コンテンツデータ１０を受け付けると、当該誌面コンテンツデータ１０を記憶部１０２に出力する。また当該誌面コンテンツデータ１０に関連情報１３が関連付けられているときは、これを取得して記憶部１０２に出力する。
【００５７】
また、テレビ１００に表示する画面をいずれの誌面コンテンツデータ１０で生成するかを特定して、誌面コンテンツデータ処理部１１３に画面の生成を指示する。これにより、誌面コンテンツデータ処理部１１３は、当該誌面コンテンツデータ１０中の画面レイアウト記述１１や記事データ１２に基づいて画面の生成を行なう。
【００５８】
なお、本明細書において「誌面コンテンツデータ」とは、電子雑誌をテレビに表示するときに、一つの画面上に表示される誌面を構成するデータを意味し、後述の画面レイアウト記述１１及び記事データ１２により構成される。詳細は後述する。
【００５９】
リモコン信号解析部１１２は、ユーザがリモコン３００に対して行なった操作の内容を、リモコン信号受信部１０４から取得した信号に基づいて特定するものである。具体的には、リモコン信号解析部１１２は、特定した操作の内容を示す信号を、その内容に応じて、誌面コンテンツデータ取得部１１１、誌面コンテンツデータ処理部１１３、関連情報検出部１１４、関連情報処理部１１５に送信する。
【００６０】
また、例えば、リモコン信号解析部１１２は、表示部１０３に表示された複数のコンテンツのうち、いずれかのコンテンツをユーザが指定したとき、その指定に基づく選択指示をリモコン信号受信部１０４から取得して、指定されたコンテンツを特定する。そして、その結果を示す信号を誌面コンテンツデータ処理部１１３や関連情報検出部１１４に送信する。
【００６１】
また、例えば、リモコン信号解析部１１２は、関連情報処理部１１５が再生している関連情報に対して、ユーザが表示領域等の表示条件の変更を指示したとき、当該指示を関連情報処理部１１５に送信する機能も有する。
【００６２】
誌面コンテンツデータ処理部１１３は、リモコン信号解析部１１２からの指示に基づいて、誌面コンテンツデータ１０に含まれる画面レイアウト記述１１や記事データ１２を読み出して、表示部１０３に表示する画面を生成するものである。
【００６３】
また、画面レイアウト記述１１にイベントハンドラが組み込まれている場合、誌面コンテンツデータ処理部１１３は、リモコン信号解析部１１２からの受信した信号に基づいて、ユーザ操作に応じた処理、例えば、表示部１０３が表示している画面の書き換え処理等を行なう。
【００６４】
また、誌面コンテンツデータ処理部１１３は、リモコン信号解析部１１２からどのコンテンツが指定されたかを示す信号を受信したとき、そのコンテンツの表示領域の外縁を太枠にしたり、当該コンテンツの視聴に支障が無い位置に矢印を表示したりする等の処理を行なって、当該コンテンツが選択されていることをユーザに示す処理を行なう。これにより、ユーザは、自分が選択したコンテンツをテレビ１００が正確に認識していることを認識できる。
【００６５】
なお、以下、コンテンツを指定することを「フォーカス」と表記する。つまり、「コンテンツをフォーカスする」とは、表示部１０３が表示する複数のコンテンツのうち、いずれか一つのコンテンツを指定することを意味する。コンテンツをフォーカスする主体は、ユーザであってもよいし、予め設定された条件等によってテレビ１００自体が、コンテンツをフォーカスする主体となってもよい。そして、誌面コンテンツデータ処理部１１３は、フォーカスされたコンテンツについて、その表示領域の外縁を太枠にする等の処理を行ない、フォーカスを認識したことをユーザに示すのである。ユーザによるフォーカスを認識したことをユーザに示す処理としては、上述の太枠にする処理の他に、フォーカスされたコンテンツの表示領域に矢印を当てたり、周囲の記事の視聴に差し支えない程度に当該表示領域を拡大処理したり、輝度を上げたりする等の処理が例示できる。
【００６６】
関連情報検出部１１４は、ユーザがフォーカスしたコンテンツに関連付けられた、再生可能な関連情報１３を検出するものである。つまり、リモコン信号解析部１１２から、特定のコンテンツが選択されたことを示す選択指示を受信したとき、当該選択指示によって特定されるコンテンツに関連付けられている、動画や音声等の再生可能な関連情報を検出して、その結果を関連情報処理部１１５に送信する。
【００６７】
具体的には、関連情報検出部１１４は、個々のコンテンツを構成するそれぞれの記事データ１２から、再生可能な関連情報を検出する。より具体的には、本実施の形態では、関連情報１３が関連付けられている記事データ１２には、後述のように関連情報１３を参照するための記述が施されているので、当該参照するための記述を検出する。このように記事データ１２から、関連情報を参照するための記述を検出することも、記事データ１２から、当該コンテンツに関連付けられている関連情報を検出することに含まれる。
【００６８】
また、後述の関連情報処理部１１５は、関連情報検出部１１４によって検出された関連情報を再生すればよいので、コンテンツ表示装置の構成を簡便にすることができる。つまり、上記特許文献１では、動画が関連付けられたコンテンツが複数表示されている場合、ユーザが指定した動画を再生させるためには、予めユーザが指定した動画の優先順位を高くして、優先順位の高い順に再生する等の構成を採用する必要があった。しかし、本実施の形態の構成によれば、例えば複数のコンテンツが表示され、それぞれに関連情報が関連付けられている場合等においても、関連情報検出部１１４が、選択されたコンテンツに関連付けられた関連情報を検出して、関連情報処理部１１５は検出された関連情報を再生すればよいので、従来技術のように、優先順位を設定するなどの特殊な実装が必要でない。
【００６９】
なお、ここで、本明細書において「再生可能な関連情報」とは、再生することでデータの内容を提示できる情報、例えば動画や音声を意味する。ただし、静止画像のように再生することなく表示するだけでデータの内容を提示できる情報は意味しない。つまり、上述の関連情報検出部１１４は、動画や音声のように再生可能な関連情報を検出するものであり、静止画像のように再生できない関連情報を検出するものではない。
【００７０】
なお、コンテンツに含まれる文字の少なくとも一部、つまり記事本文や記事の見出し等を構成する文字の少なくとも一部をティッカー表示する情報も動画の範疇である。コンテンツに含まれる文字をティッカー表示する構成としては、関連情報１３が当該文字をティッカー表示させる情報である限り限定されるものではない。例えば、関連情報１３は、文字をティッカー表示させるのタグ等の、文字をティッカー表示させることを規定した制御情報であってもよい。なお、このとき、後述の関連情報処理部１１５が関連情報１３に基づいて、当該文字列をティッカー表示させればよい。また、文字が順次スクロールする動画であってもよい。ここで、本明細書において「ティッカー表示」とは、特定の表示領域内に文字列を流して表示させることを意味し、例えば、右から左や上から下に文字列を流して表示する。文字列をティッカー表示することで、限られた表示領域内で多くの文字情報を表示することができる。
【００７１】
また、複数の静止画像を連続した表示、即ち、複数の静止画像のスライドショーも動画の範疇である。複数の静止画像をスライドショーするための具体的な構成としては、複数の静止画像を順にスライドして表示することが可能である限り、特に限定されるものではなく、例えば、複数の静止画像及びこれをスライドショーすることを規定する情報を関連情報１３としておけばよい。
【００７２】
関連情報処理部１１５は、本発明に係るコンテンツ表示装置が備える関連情報処理手段として機能するものである。具体的には、関連情報処理部１１５は、関連情報の再生や停止等の処理を制御するものである。例えば、関連情報検出部１１４から受信した信号に基づいて、ユーザが指定したコンテンツに関連付けられた関連情報を再生したり、さらにユーザの操作に応じて、再生している動画の表示領域の面積や位置を変更したり、表示品質を変更したりするものである。
【００７３】
〔２．リモコン３００の構成〕
次に、リモコン３００の構成について図２を用いて説明する。図２はリモコン３００の概略構成を模式的に示す図であり、図２の（ａ）はリモコン３００の外観を示し図２の（ｂ）はリモコンの要部を概略的に示す。
【００７４】
図２の（ａ）に示すように、リモコン３００は数字ボタン部３１０と十字ボタン部３２０とを備えている。
【００７５】
数字ボタン部３１０は、１〜９の数字に対応するボタンＢ１〜Ｂ９を含むボタン群により構成されている。ユーザはこれらのボタンを押すことで、押したボタンに対応する数字を入力することができる。なお、数字ボタン部を構成するボタンの数字は１〜９に限定されず、適宜増減させてもよい。
【００７６】
十字ボタン部３２０は、上ボタンＣ１、下ボタンＣ２、左ボタンＣ３、右ボタンＣ４及び決定ボタンＣ５により構成されている。ユーザはこれらのボタンを押すことにより、「上」「下」「左」「右」「決定」を入力することができる。例えば、ユーザは、現在指定しているコンテンツの左隣のコンテンツを指定したいとき、左ボタンＣ３を押せばよい。
【００７７】
また図２（ｂ）に示すようにリモコン３００は、入力部３３０、リモコン信号送信部３４０を備えている。
【００７８】
入力部３３０は、上述の数字ボタン部３１０及び十字ボタン部３２０により構成されている。
【００７９】
リモコン信号送信部３４０は、入力部３３０に入力された操作に応じた信号をテレビ１００に送信するものである。例えば、リモコン信号を赤外線搬送波に乗せて送信する赤外線送信装置により構成されている。
【００８０】
〔３．誌面コンテンツデータ〕
次に、誌面コンテンツデータ１０について説明する。
【００８１】
（電子雑誌の構成）
まず、図３を用いて誌面コンテンツデータ１０に基づいて表示部１０３が表示する電子雑誌の画面（以下、「誌面画面」と表記する）について説明する。図３は、表示部１０３が表示する誌面画面２０の一例の構成を模式的に示す図である。
【００８２】
図３に示すように、誌面画面２０は、コンテンツ２１〜２５で構成されている。また、コンテンツ２２及び２３の一部にはそれぞれ静止画像Ｐ１及びＰ２が表示されている。なお、図示していないが、コンテンツ２２がフォーカスされると、コンテンツ２２に関連付けられた動画が静止画像Ｐ１の表示領域で再生されることになる。コンテンツ２３及び静止画像Ｐ２においても同様である。これは、誌面コンテンツデータ１０内の記事データ１２に、動画である関連情報１３が関連付けられたものである。なお、コンテンツ中に表示される静止画像は動画の代わりに表示するものに限定されず、関連情報１３が関連付けられていないコンテンツ内にも、コンテンツの提供者は、コンテンツ表示装置１に種々の静止画像を表示させることができる。
【００８３】
コンテンツ２１〜２５は、後述する個々の記事データ１２ａ〜１２ｅに対応して表示されるものである。なお、上述の動画は、記事データ１２に関連付けられている。例えば、コンテンツ２２を構成する記事データ１２ｂには、動画Ｍ１（後述する関連情報１３ａ）が関連付けられている。
【００８４】
（誌面コンテンツデータ１０の構造）
次に、図１及び図４を用いて誌面コンテンツデータ１０の構造について説明する。図４は誌面コンテンツデータ１０のデータ構造を模式的に示す図である。
【００８５】
図１に示すように誌面コンテンツデータ１０は、画面レイアウト記述１１、記事データ１２及びフォーカス処理記述１５を含んで構成されている。また、記事データ１２には関連情報１３が関連付けられているので、関連情報１３についてもここで併せて説明する。より具体的には、本実施の形態では、図４に示すように誌面コンテンツデータ１０は、画面レイアウト記述１１及び記事データ１２ａ〜１２ｅにより構成されており、記事データ１２ｂ及び１２ｃにそれぞれ関連情報１３ａ及び１３ｂが関連付けられている場合について説明する。なお、画面レイアウト記述１１、記事データ１２、関連情報１３の数は、本実施の形態で説明する数に限定されず、電子雑誌の供給者の要望に応じて適宜設定することができる。
【００８６】
画面レイアウト記述１１は、テレビ１００が表示するべき画面のレイアウトを定義する記述である。具体的には、誌面コンテンツデータ１０には、画面レイアウト記述１１が記述されている。画面レイアウト記述１１は、記事データ１２ａ〜１２ｅを表示するための記述である。また、画面レイアウト記述１１は、各記事データの表示領域を予め設定する記述も含まれている。画面レイアウト記述１１の構成については、後で詳述する。
【００８７】
記事データ１２は、個々のコンテンツを構成するデータである。例えば、テキストデータや、関連情報１３を参照するための記述等が含まれる。記事データ１２ｂ、１２ｃは、それぞれ、関連情報１３ａ、１３ｂに関連付けられており、それぞれの記事データには、それぞれの関連情報を参照するための記述が含まれている。また、本実施の形態では、記事データ１２は、画面レイアウト記述１１内に組み込まれて記述されている。記事データ１２については、後で画面レイアウト記述１１の構成を説明する際に、併せて詳述する。
【００８８】
なお、記事データ１２と関連情報１３との関連付けは、本実施の形態のように一つの記事データ１２に一つの関連情報１３が関連付けられるという構成に限定されない。一つの記事データ１２に複数の関連情報１３が関連付けられていてもよいし、複数の記事データ１２が一つの関連情報１３に関連付けられていてもよい。
【００８９】
関連情報１３は、表示部１０３が電子雑誌を表示するときに、当該電子雑誌を構成するコンテンツに関連付けられて出力される動画や音声等の情報である。
【００９０】
フォーカス処理記述１５は、どのコンテンツがユーザにフォーカスされたかを認識して、上述のようにフォーカスされた表示領域の外縁を太枠にする等によって、ユーザによるフォーカスをテレビ１００が認識していることを、ユーザに示す処理を行なうための記述である。
【００９１】
（画面レイアウト記述１１の構成）
次に、図５を用いて、画面レイアウト記述１１の構成について説明する。図５は画面レイアウト記述１１の構成を模式的に示す図である。
【００９２】
図５に示すように画面レイアウト記述１１には、記事データ１２ａ〜１２ｅが組み込まれており、さらに記事データ１２ｂ及び１２ｃには、関連付けられている関連情報１３を参照するための関連情報参照記述１３ａ’及び１３ｂ’が記述されている。つまり、本実施の形態では、画面レイアウト記述１１内に、個々のコンテンツを構成するための記事データ１２が組み込まれており、個々の記事データ１２には、関連情報参照記述１３ａ’等が記述されるという構成を有している。また、画面レイアウト記述１１は、レイアウト指定記述１４ａ〜１４ｅを含んでいる。
【００９３】
記事データ１２ａ〜１２ｅは、上述のように個々のコンテンツを構成する記述である。なお、個々の記事データ１２は、画面レイアウト記述１１内に、記事データであることが特定可能にしておけばよい。また、個々の記事データ１２を特定可能なようにＩＤ（識別情報）を付してもよい。また、記事データ１２ａ〜１２ｅは、その記事内容を示すテキスト情報を含んでもよく、他に、記事のジャンル、記事のタイトル、作成日時等を、当該記事データ１２の属性として含んでいてもよい。
【００９４】
図５に示すように、記事データ１２ｂ及び１２ｃは関連情報参照記述１３ａ’、１３ｂ’が対応付けられている。関連情報参照記述１３ａ’、１３ｂ’は、それぞれ関連情報１３ａ及び１３ｂを参照するための記述である。
【００９５】
関連情報参照記述１３ａ’、１３ｂ’は、再生可能な関連情報を関連付けていることを特定可能にしておけばよい。なお、再生可能な関連情報を関連付けていることを特定可能にする記述を説明の便宜のため、以下「再生用関連情報特定記述」と表記する。つまり、上述の関連情報検出部１１４は、再生用関連情報特定記述を検出することで、個々の記事データ１２に関連付けられている再生可能な関連情報１３を検出する。なお、単なる静止画像等の再生不可能な関連情報は、再生用関連情報特定記述とは区別可能な異なるタグにより記述すればよい。よって、再生用関連情報特定記述を検出することで、関連情報検出部１１４は再生可能な関連情報を検出できるのである。
【００９６】
再生用関連情報特定記述には、様々な要素を対応付けることが可能である。例えば、関連情報１３のＩＤや、表示させる領域、記述するリンク情報等である。表示させる領域としては、例えばx座標、y座標、縦幅、横幅等の数値を用いて記述できる。また、リンク情報は、例えば従来公知のリンク用のタグに関連情報１３のファイル名を付すことによって記述してもよい。
【００９７】
なお、１個の記事データ１２に、複数の再生可能な関連情報を関連付けるときは、再生用関連情報特定記述に優先順位を設けて、関連情報を１個ずつ当該優先順位順に再生させるように記述してもよい。このようにすれば、複数の動画が同時に再生されることが無いので、ユーザが視聴しにくくなることを防ぐことができる。
【００９８】
レイアウト指定記述１４ａ〜１４ｅは、記事データ１２ａ〜１２ｅを表示するレイアウトを決定するための記述である。図５に示すように、レイアウト指定記述１４ａ〜１４ｅは、それぞれ、記事データ１２ａ〜１２ｅに対応付けられて記述されている。
【００９９】
具体的な、レイアウト指定記述１４ａ〜１４ｅの構成としては、記事データ１２ａ〜１２ｅのレイアウトを特定可能である限り限定されるものでは無いが、例えば、記事データ１２ａ〜１２ｅに含まれるテキストデータが流し込まれる領域の各頂点となるｘ座標及びｙ座標を利用することができる。また、当該領域が矩形の場合は、一つの頂点のｘ座標及びｙ座標、当該矩形の縦幅及び横幅の数値を利用してもよい。また、テキストデータの表示サイズ、フォント、色、テキストデータを流し込む領域の色、輝度、透明度、強調表示するためのマスク情報を含んでもよい。
【０１００】
以上に説明した画面レイアウト記述１１を記述するのに適した言語としては、ＳＶＧ（Scalable Vector Graphics）、ＳＭＩＬ（Synchronized Multimedia Integration Language）、ＸＨＴＭＬ（Extensible Hypertext Markup Language）などの拡張可能なマーク付け言語（ＸＭＬ：Extensible Markup Language）を挙げることができる。
【０１０１】
なお、本実施の形態では、関連情報１３は、誌面コンテンツデータ１０には含まれない場合について説明したが、これに限定されるものではない。関連情報１３は誌面コンテンツデータ１０に含まれていてもよい。
【０１０２】
〔４．テレビ１００の動作〕
次に、テレビ１００の動作について図６〜１２を用いて説明する。
【０１０３】
（リモコン３００、リモコン信号受信部１０４、リモコン信号解析部１１２の動作）
まず、表示部１０３が電子雑誌を表示するまでの動作について説明する。ユーザがリモコン３００に電子雑誌を表示するように指示をすると、リモコン３００が備えるリモコン信号送信部３４０（図２参照）が、電子新聞の表示を指示する信号をリモコン信号受信部１０４に送信する。
【０１０４】
リモコン信号受信部１０４は、当該信号を制御部１１０の各部が処理可能な信号に変換する。例えば、リモコン信号送信部３４０が赤外線信号を発するものである場合、リモコン信号受信部１０４は、赤外線信号を制御部１１０の各部で処理可能な電気信号に変換する。次に、リモコン信号受信部１０４は、変換した信号をリモコン信号解析部１１２に送信する。
【０１０５】
リモコン信号解析部１１２は、リモコン信号受信部１０４から受信した信号を、その信号の内容に応じて制御部１１０内の他の各部に送信する。例えば、最初に電子雑誌を表示するための信号である場合、誌面コンテンツデータ取得部１１１に対して、誌面コンテンツデータ１０の取得指示を送信する。
【０１０６】
（誌面コンテンツデータ取得部１１１の動作）
次に、誌面コンテンツデータ取得部１１１の動作について、図６を用いて説明する。図６は、誌面コンテンツデータ取得部１１１が行なう処理のフローを示すフローチャートである。
【０１０７】
誌面コンテンツデータ取得部１１１は、誌面コンテンツデータ１０の取得指示を受け取ると（Ｓ６０１）、記憶部１０２が、当該取得指示に対応する誌面コンテンツデータ１０を記憶しているか否か判定する（Ｓ６０２）。
【０１０８】
記憶部１０２が、当該取得指示に対応する誌面コンテンツデータ１０を記憶している場合、誌面コンテンツデータ取得部１１１は、誌面コンテンツデータ処理部１１３に、記憶部１０２内に当該誌面コンテンツデータ１０が格納されていることを示す信号を送信する（Ｓ６０６）。
【０１０９】
記憶部が、当該取得指示に対応する誌面コンテンツデータ１０を記憶していない場合、誌面コンテンツデータ取得部１１１は、通信部１０１に誌面コンテンツデータ１０の取得指示を送信する（Ｓ６０３）。誌面コンテンツデータ取得部１１１から誌面コンテンツデータ１０の取得指示を受信した通信部１０１は、誌面コンテンツサーバ１０００から当該取得指示に対応する誌面コンテンツデータ１０を取得する。
【０１１０】
誌面コンテンツデータ１０を取得した通信部１０１は、誌面コンテンツデータ取得部１１１に誌面コンテンツデータ１０を送信する。
【０１１１】
誌面コンテンツデータ取得部１１１は、通信部１０１から誌面コンテンツデータ１０を受信すると（Ｓ６０４）、当該誌面コンテンツデータ１０を記憶部１０２に送信する（Ｓ６０５）。なお、ステップＳ６０４やＳ６０５では、誌面コンテンツデータ１０に関連情報１３が関連付けられているときは、当該関連情報１３も併せて送受信される。
【０１１２】
ステップＳ６０５の後、誌面コンテンツデータ取得部１１１は、誌面コンテンツデータ処理部１１３に、記憶部１０２内に当該誌面コンテンツデータ１０が格納されていることを示す信号を送信する（Ｓ６０６）。これにより、誌面コンテンツデータ処理部１１３は、表示部１０３に表示させる画面を生成するための誌面コンテンツデータ１０を特定できる。
【０１１３】
（誌面コンテンツデータ処理部１１３の動作）
誌面コンテンツデータ処理部１１３は、誌面コンテンツデータ取得部１１１から、表示すべき画面を生成するための誌面コンテンツデータ１０の特定を示す信号を受信すると、当該誌面コンテンツデータ１０中の画面レイアウト記述１１及び記事データ１２を記憶部１０２から読み出す。
【０１１４】
次に、誌面コンテンツデータ処理部１１３は、読み出した画面レイアウト記述１１及び記事データ１２に基づいて画面を生成する。そして、生成した画面を表示部１０３に出力させる。これにより、表示部１０３は上述の図３に示したような電子雑誌を表示する。
【０１１５】
また、誌面コンテンツデータ処理部１１３は、生成した画面内に組み込んだコンテンツの個々を特定するための情報、本実施の形態では記事データ１２のＩＤを、関連情報処理部１１５に送信する。ここで誌面コンテンツデータ処理部１１３が関連情報処理部１１５に送信する情報は、個々の記事データ１２のＩＤに限定されない、個々の記事データ１２を識別可能な情報であればよい。
【０１１６】
（関連情報処理部１１５の動作）
次に、関連情報処理部１１５の動作について、図７を用いて説明する。図７は、関連情報処理部１１５が行なう処理のフローを示すフローチャートである。
【０１１７】
ここでは、説明の簡単のため、関連情報１３が動画である場合について説明する。具体的には、関連情報処理部１１５が動画を再生していないときは、関連情報処理部１１５は別の静止画像を表示しておき、動画を再生するときは、当該静止画像を表示していた領域を動画の表示領域に置換して、動画を表示する場合について説明する。
【０１１８】
また、ここでは、ユーザがフォーカスしたコンテンツ以外のコンテンツに関連付けられている関連情報１３は再生しない場合について説明する。つまり、本実施の形態では、表示部１０３が、最初に、電子雑誌を表示した時点では、いずれのコンテンツもフォーカスされていないので、関連情報１３は全て再生されていない状態である。
【０１１９】
まず、ユーザがリモコン３００に対して、数字ボタン部３１０のうちのいずれかのボタンを押す等して、いずれかのコンテンツをフォーカスする。そして、リモコン信号受信部１０４を介してリモコン信号解析部１１２が、そのフォーカスを示す信号を受信する。次に、リモコン信号解析部１１２は、どのコンテンツがフォーカスされたかを示すフォーカス情報を関連情報処理部１１５に送信する。
【０１２０】
関連情報処理部１１５は、まず、誌面コンテンツデータ処理部１１３から、個々の記事データ１２のＩＤを取得する（Ｓ７０１）。
【０１２１】
次に、関連情報処理部１１５は、リモコン信号解析部１１２から、どのコンテンツがフォーカスされたかを示すフォーカス情報を受信する（Ｓ７０２）。
【０１２２】
フォーカス情報を受信すると、関連情報処理部１１５は、直前にフォーカスされていたコンテンツに関連付けられた動画が再生されているか判定する（Ｓ７０３）。
【０１２３】
直前にフォーカスされていたコンテンツに関連付けられた動画が再生されている場合は、ステップＳ７０４に進む。
【０１２４】
直前にフォーカスされていた表示領域のコンテンツに関連付けられた動画が再生されていない場合はステップＳ７０５に進む。例えば、最初にコンテンツがフォーカスされた場合は、どの動画も再生されていないため、ステップＳ７０５に進む。また、直前にフォーカスされていた表示領域のコンテンツに動画が関連付けられていなかった場合にも、ステップＳ７０５に進む。
【０１２５】
ステップＳ７０４では、直前にフォーカスされていたコンテンツに関連付けられている動画の再生を停止する。そして、動画を表示していた領域に、静止画像を表示する。次に、ステップＳ７０５に進む。
【０１２６】
ステップＳ７０５では、関連情報処理部１１５が、受信したフォーカス情報により特定されるコンテンツに、動画が関連付けられているか判定する。具体的には、関連情報処理部１１５は、関連情報検出部１１４に対して、当該コンテンツに対応する記事データ１２のＩＤと、当該ＩＤにより特定される記事データ１２に動画が関連付けられているかを検出する指示と、を含む関連情報検出指示信号を送信する。
【０１２７】
関連情報検出指示信号を受信した関連情報検出部１１４は、当該関連情報検出指示信号に含まれる記事データ１２のＩＤによって、特定される記事データ１２内の再生用関連情報特定記述を検出する。再生用関連情報特定記述があれば、当該再生用関連情報特定記述内に記述された動画のファイル名を認識する。そして、当該ファイル名を示す信号を検出結果として関連情報処理部１１５に返す。ここで関連情報検出部１１４が認識する情報は動画のファイル名に限定されるものではなく、当該動画を識別可能であればよい。
【０１２８】
フォーカス情報により特定されるコンテンツに動画が関連付けられていれば（Ｓ７０５においてＹＥＳ）、関連情報処理部１１５は当該動画の再生を開始して（Ｓ７０６）、動作を終了する。動画が関連付けられていなければ（Ｓ７０５においてＮＯ）、関連情報処理部１１５は動作を終了する。なお、本実施の形態において、ステップＳ７０６では、コンテンツの一部に静止画像が表示されているとき、この静止画像の表示領域を動画の表示領域に置換して動画を再生する。
【０１２９】
以上の処理のフローによれば、ユーザがフォーカスしたコンテンツに、再生可能な関連情報１３が関連付けられているとき、当該関連情報１３は自動的に再生される。これにより、ユーザは複雑な操作を要求されること無く、コンテンツをフォーカスするだけで、当該コンテンツに関連付けられた関連情報１３を視聴することができる。ただし、本発明に係るコンテンツ表示装置の、再生可能な関連情報を再生する構成は、自動的に再生される構成に限定されるものではない。再生可能な関連情報を検出した後に、再生してよいかユーザに確認する画面を表示する等してもよい。
【０１３０】
なお、再生可能な関連情報１３を検出するための構成は、関連情報検出部１１４が再生可能な関連情報１３を検出可能である限り、限定されるものではない。例えば、本実施の形態のように、再生用関連情報特定記述ではなく、単にリンクを貼っておき、リンク先のファイルの拡張子等によって再生可能な関連情報１３を検出してもよい。
【０１３１】
なお、本実施の形態では、関連情報処理部１１５は、フォーカスされたコンテンツ以外のコンテンツに再生可能な関連情報１３が関連付けられていても、この再生を停止する場合について説明したが、これに限定されない。例えば、消音で再生を継続してもよい。ただし、複数の動画が同時に再生されると、目的の動画の視聴に集中できず、煩わしさを感じるユーザも多いため、本実施の形態のように、フォーカスされていないコンテンツの関連情報１３を停止することは、この煩わしさを解消できることから好ましい。
【０１３２】
また、本実施の形態では、関連情報処理部１１５は、最初に表示部１０３が電子雑誌を表示した時点では、コンテンツに関連付けられた再生可能な関連情報１３を停止しておく場合について説明したが、これに限定されない。最初に表示部１０３が電子雑誌を表示した時点で、文章が縦書きの記事の場合は、右上の関連情報から、右下、左上、左下の優先順位で、順次再生を開始していてもよい。この場合、あるコンテンツがフォーカスされることで、当該コンテンツに関連付けられた再生可能な関連情報１３の再生を、最初から行ってもよく、また、他のコンテンツに関連付けられた関連情報１３の再生を停止させる等してもよい。
【０１３３】
（関連情報１３の再生パターン１）
次に、図８を用いて、関連情報処理部１１５による関連情報１３の再生パターンの一例について説明する。図８は、関連情報処理部１１５が関連情報１３を再生するパターンの一例を模式的に示す図である。
【０１３４】
また、ここで説明する関連情報１３の再生パターンは、上述の図７を用いて説明した関連情報処理部１１５の処理によって実現されるものである。
【０１３５】
図８に示す誌面画面２０ａ、２０ｂ、２０ｃは、いずれも、表示部１０３がコンテンツ２１〜２５からなる電子雑誌を表示した画面であり、それぞれの誌面画面２０ａ〜２０ｃではフォーカスされているコンテンツが異なっている。
【０１３６】
また、コンテンツ２１〜２５をそれぞれ構成する記事データ１２ａ〜１２ｅには、それぞれＩＤ１〜５が付されている。これにより、フォーカスするコンテンツを変更するとき、ユーザはＩＤに対応した数字ボタンＢ１〜Ｂ５を押せばよい。例えば、「２」のボタンであるボタンＢ２を押すと、ＩＤ２の記事データ１２ｂに対応するコンテンツ２２をフォーカスすることができる。ユーザが、フォーカスするコンテンツを変更するときは、現在フォーカスしているコンテンツを基準に上下左右のボタンＣ１〜Ｃ４を押してもよい。例えばコンテンツ２１をフォーカスしている状態で左ボタンＣ３を押すと、コンテンツ２１の左隣のコンテンツ２２をフォーカスすることができる。
【０１３７】
また、コンテンツ２２及び２３には、それぞれ動画Ｍ１及びＭ２が関連付けられている。
【０１３８】
誌面画面２０ａでは、コンテンツ２１がフォーカスされている。コンテンツ２１の外縁は太枠で表示されている。これにより、ユーザは、コンテンツ２１がフォーカスされていることを確認することができる。
【０１３９】
また、コンテンツ２１がフォーカスされているとき、コンテンツ２２及び２３はフォーカスされていないので、動画Ｍ１及びＭ２は再生されていない。表示部１０３は、動画Ｍ１及びＭ２を表示する代わりに、静止画像Ｐ１及びＰ２を表示している。静止画像Ｐ１及びＰ２は、それぞれ記事データ１２ｂ及びｃに関連付けられた静止画像である。静止画像Ｐ１及びＰ２の表示領域は、動画Ｍ１及びＭ２が再生されるときに表示される領域と同じ領域である。なお、ここで表示する静止画像Ｐ１及びＰ２は、動画とは別途用意した静止画像でもよいし、動画を構成するコマであってもよい。ただし、動画とは別途用意した静止画像であれば、動画の表示条件と当該静止画像の表示条件とを、別々に設定することが容易となるため好ましい。つまり、動画の画質等によらず、高画質な静止画像を表示することが可能となる。本実施の形態では、動画とは別途用意した静止画像を表示する場合について説明する。また、静止画像の具体的な構成は特に限定されるものはなく、従来公知のＪＰＥＧファイル等により構成すればよい。
【０１４０】
ユーザが、リモコン３００の左ボタンＣ３又はボタンＢ２を押すことによって、コンテンツ２２をフォーカスすると、表示部１０３は誌面画面２０ｂを表示する。
【０１４１】
コンテンツ２２がフォーカスされることにより、関連情報処理部１１５は動画Ｍ１の再生を開始する。再生される動画Ｍ１が表示される領域は、上述の再生用関連情報特定記述内に記述されている。ここでは、コンテンツ２２の表示領域内の矩形領域で、関連情報処理部１１５は動画Ｍ１を表示する。なお、動画Ｍ１の表示領域は、上述の通り静止画像Ｐ１が表示されていた領域である。つまり、本再生パターン１では、コンテンツ２２の一部に静止画像Ｐ１を含み、関連情報処理部１１５は、コンテンツ２２が選択されると静止画像Ｐ１の表示を終了させて、当該静止画像Ｐ１を表示していた領域に動画Ｍ１を表示するという動作を行なう。換言すれば、関連情報処理部１１５は、コンテンツ２２の表示領域のうち、静止画像Ｐ１を表示していた領域に、静止画像Ｐ１を動画Ｍ１に置換して表示する。
【０１４２】
ユーザが、リモコン３００の左ボタンＣ３又はボタンＢ３を押下すことによって、コンテンツ２３をフォーカスすると、表示部１０３は誌面画面２０ｃを表示する。
【０１４３】
コンテンツ２３がフォーカスされることにより、関連情報処理部１１５は静止画像Ｐ２の表示領域において、静止画像Ｐ２を動画Ｍ２に置換して、再生を開始する。また、関連情報処理部１１５は直前にフォーカスされていたコンテンツ２２に関連付けられていた動画Ｍ１の再生を停止する。そして、動画Ｍ１を表示していた領域を、再度静止画像Ｐ１を表示する領域に置換して、静止画像Ｐ１を表示する。
【０１４４】
（関連情報１３の再生パターン２）
次に、図９を用いて、関連情報処理部１１５による関連情報１３の再生パターンの一例について説明する。図９は、関連情報処理部１１５が関連情報１３を再生するパターンの一例を模式的に示す図である。また、ここでは、上記再生パターン１と異なる点について主に説明するものとし、同様の構成については説明を省く。
【０１４５】
ここで説明する関連情報１３の再生パターンは、関連情報１３が動画であって、より拡大した表示領域での動画の表示を行なうパターンである。
【０１４６】
誌面画面２０ａではコンテンツ２１がフォーカスされており、次に誌面画面２０ｂのようにコンテンツ２２がフォーカスされて、関連情報処理部１１５は動画Ｍ１の再生を開始する。ここまでは上記再生パターン１と同じである。
【０１４７】
次に、ユーザがリモコン３００の決定ボタンＣ５を押すと、関連情報処理部１１５は、動画Ｍ１をより面積の大きい領域で再生する。これにより、表示部１０３は誌面画面２０ｄを表示する。より大きい領域で動画Ｍ１が表示されることにより、ユーザはより快適に動画Ｍ１を視聴することができる。なお、上述の再生用関連情報特定記述内に、再生する領域の変更を記述することができる。
【０１４８】
また、誌面画面２０ｂにおいて動画Ｍ１が表示されていた領域に、誌面画面２０ｄでは静止画像Ｐ１が表示される。
【０１４９】
ここでは、ユーザの指示により、関連情報処理部１１５が動画Ｍ１を表示する領域をより大きな面積の領域にする場合について説明したが、他の再生条件を変更するように構成してもよい。例えば、表示画質を変更したり、表示する輝度を向上させたりしてもよい。
【０１５０】
なお、本明細書において「変更指示」とは、関連情報の表示条件を変更する指示を意味する。例えば、上述のように表示する領域、面積を変更する指示や、輝度等を変更する指示を意味する。
【０１５１】
また、関連情報処理部１１５がこのような表示条件の変更の指示を取得するための構成は、限定されるものではない。本再生パターン２のようにユーザによる指示をリモコン３００、リモコン信号受信部１０４、リモコン信号解析部１１２を介して取得してもよい。より具体的には、リモコン３００にそれぞれの指示を受け付けるボタンを設けて、ユーザが当該ボタンを押すことで当該指示を受け付けてもよく、ユーザが決定ボタンＣ５を押すことで、変更可能な再生条件を一覧にしたメニュー画面を表示して、ユーザに選択させてもよい。また、記憶部１０２が表示条件を記憶しておき、予め設定した条件に応じて関連情報処理部１１５が、記憶部１０２から当該表示条件を取得してもよい。例えば、後述の再生パターン３でも述べるように、動画の再生から一定時間経過後に、関連情報処理部１１５が、全画面で表示する表示条件を記憶部１０２から取得してもよい。
【０１５２】
（関連情報１３の再生パターン３）
次に、図１０を用いて、関連情報処理部１１５による関連情報１３の再生パターンの一例について説明する。図１０は、関連情報処理部１１５が関連情報１３を再生するパターンの一例を模式的に示す図である。また、ここでは、上記再生パターン１と異なる点について主に説明するものとし、同様の構成については説明を省く。
【０１５３】
ここで説明する関連情報１３の再生パターンは、関連情報１３が動画であって、より拡大した表示領域での動画の表示を行ない、特に表示部１０３の全画面で動画の表示を行なうパターンである。
【０１５４】
誌面画面２０ａではコンテンツ２１がフォーカスされている。このとき、上記再生パターン１と同様に、表示部１０３は、動画Ｍ１を再生するときに表示する領域に、静止画像Ｐ１を表示している。
【０１５５】
ユーザが、リモコン３００の左ボタンＣ３又はボタンＢ２を押下すことによって、コンテンツ２２をフォーカスすると、表示部１０３は誌面画面２０ｅを表示する。
【０１５６】
コンテンツ２２がフォーカスされることにより、関連情報処理部１１５は動画Ｍ１の再生を開始する。動画Ｍ１が表示される領域は、静止画像Ｐ１が表示されていた領域とは異なる、より大きな領域である。このように、大きな領域で動画Ｍ１を表示することにより、ユーザはより快適に動画Ｍ１を視聴することができる。
【０１５７】
ユーザが、リモコン３００の決定ボタンＣ５を押すと、表示部１０３は誌面画面２０ｆを表示する。このとき、関連情報処理部１１５は、動画Ｍ１を表示部１０３の全画面で再生する。よって、誌面画面２０ｆでは、表示部１０３の画面全体に動画Ｍ１が表示される。これにより、ユーザは、関心のある動画を集中して視聴することができる。
【０１５８】
なお、動画Ｍ１の表示が表示部１０３の全画面に拡大した後に、さらにユーザが決定ボタンＣ５を押すことで、表示部１０３は再度誌面画面２０ｅを表示し、元の領域で動画Ｍ１を表示するという構成にしてもよい。また、その際、動画の再生を止めることなく、動画Ｍ１の領域を、全画面から当該元の領域に変更するようにしてもよい。これにより、動画再生中に決定ボタンＣ５で領域の切り替えを行なっても、ユーザは途切れることなく動画Ｍ１を視聴することができる。
【０１５９】
本再生パターン３では、ユーザが決定ボタンＣ５を押すことにより、関連情報処理部１１５が動画Ｍ１の表示領域を表示部１０３の全画面に拡大する場合について説明したが、関連情報処理部１１５の処理はこれに限定されない。つまり、関連情報処理部１１５が、動画の表示領域を全画面に拡大するという表示条件を取得可能であればよい。例えば、リモコン３００が予め設定した時間、何らの指示を受け付けなかった場合や、周囲に人間がいなくなった場合等に、関連情報処理部１１５は動画Ｍ１の表示領域を、表示部１０３の全画面に拡大するものであってもよい。これにより、動画Ｍ１をスクリーンセーバとして使用することが可能となる。なお、周囲の人間の有無は、従来公知のビデオカメラ等によって、周囲の動いている物体の有無を検知することで判断してもよい。
【０１６０】
（関連情報１３の再生パターン４）
次に、図１１を用いて、関連情報処理部１１５による関連情報１３の再生パターンの一例について説明する。図１１は、関連情報処理部１１５が関連情報１３を再生するパターンの一例を模式的に示す図である。また、ここでは、上記再生パターン１と異なる点について主に説明するものとし、同様の構成については説明を省く。
【０１６１】
ここで説明する関連情報１３の再生パターンは、上記再生パターン１等とは異なり、動画を表示する領域に、静止画像が表示されていないパターンである。
【０１６２】
誌面画面２０ｇは上述の誌面画面２０ａとほぼ同じ画面であるが、誌面画面２０ｇでは、コンテンツ２２内に静止画像Ｐ１が表示されていない点で、誌面画面２０ａと異なる。
【０１６３】
次に、ユーザが、リモコン３００の左ボタンＣ３又はボタンＢ２を押すことで、関連情報処理部１１５は、コンテンツ２２に関連付けられている動画Ｍ１の再生を開始する。これにより、表示部１０３は誌面画面２０ｈを表示する。図１１に示すように、誌面画面２０ｈでは、動画Ｍ１が再生されている。
【０１６４】
このように、本発明によれば、ユーザがコンテンツに動画等の関連情報が関連付けられていることを推測することができなくても、当該関連情報を視聴することができる。
【０１６５】
（関連情報１３の再生パターン５）
次に、図１２を用いて、関連情報処理部１１５による関連情報１３の再生パターンの一例について説明する。図１２は、関連情報処理部１１５が関連情報１３を再生するパターンの一例を模式的に示す図である。また、ここでは、上記再生パターン１と異なる点について主に説明するものとし、同様の構成については説明を省く。
【０１６６】
ここでは、一つのコンテンツ２７に複数の動画Ｍ３及びＭ４が関連付けられている場合について説明する。また、コンテンツ内の文章が縦書きで記載されている場合について説明する。
【０１６７】
誌面画面２０ｉは、コンテンツ２６〜２９により構成されている。また、誌面画面２０ｉでは、コンテンツ２６がフォーカスされている。よって、コンテンツ２７に関連付けられている動画Ｍ３及びＭ４の代わりに静止画像Ｐ３及びＰ４が表示されている。静止画像Ｐ３及びＰ４は、それぞれ動画Ｍ３及びＭ４を構成するコマのうち、最初のコマを静止画像としたものである。
【０１６８】
ユーザが、リモコン３００の左ボタンＣ３又はボタンＢ２を押すことによって、コンテンツ２７をフォーカスすると、表示部１０３は誌面画面２０ｊを表示する。つまり、コンテンツ２７にはＩＤ２が付されており、ボタンＢ２を押すことで、コンテンツ２７をフォーカスすることができる。また、コンテンツ２７はコンテンツ２６の左隣なので、左ボタンＣ３を押してもコンテンツ２７をフォーカスできる。
【０１６９】
関連情報処理部１１５は、コンテンツ２７に関連付けられた動画Ｍ３の再生を開始する。これは、電子雑誌ではコンテンツ内の文章が縦書きで、右上から右下、左上、左下の順に読むものであるため、それぞれの動画Ｍ３及びＭ４を参照するための関連情報参照記述内の再生用関連情報特定記述内に、この順に再生されるように再生の順番を記述したことで実現したものである。なお、一つのコンテンツに複数の関連情報１３が関連付けられているときの、当該複数の関連情報１３間における再生の順番の定め方は、これに限定されない。例えば、コンテンツが横書きのときは、左上、右上、左下、右下の順に再生されるように、関連情報参照記述を記述してもよい。また、動画Ｍ３の再生の優先順位が動画Ｍ４の再生の優先順位より高くなるように関連情報参照記述を記述してもよい。また、前回同じコンテンツがフォーカスされていた場合には、前回再生したつづきを再生するようにしてもよい。つまり、動画Ｍ３の再生が途中であった場合には、そのつづきから再生すればよく、動画Ｍ３の再生が終了し動画Ｍ４の再生が途中であった場合には、動画Ｍ４のつづきから再生してもよい。
【０１７０】
また、本実施の形態では、動画Ｍ３の再生から動画Ｍ４の再生への切り替えは、ユーザが左ボタンＣ３を押すことによって行なうことができる。つまり、ユーザが左ボタンＣ３を押すと、関連情報処理部１１５は動画Ｍ３の再生を停止して、動画Ｍ４の再生を開始する。これにより、表示部１０３は誌面画面２０ｋを表示する。なお、一つのコンテンツに複数の関連情報１３が関連付けられているときの、当該複数の関連情報１３間における再生の切り替え方法はこれに限定されない。一つの関連情報１３の再生が終了した後、関連情報処理部１１５は、他の関連情報１３の再生を開始するものであってもよい。
【０１７１】
なお、本実施の形態では、複数のコンテンツ２１〜２５やコンテンツ２６〜２９が一つの画面に表示される場合について説明したが、本発明に係るコンテンツ表示装置が表示するコンテンツの数は複数に限定されない。つまり、コンテンツ表示装置が表示するコンテンツは一つでもよい。例えば、本発明に係るコンテンツ表示装置は、一つのコンテンツと、電子雑誌のページ切り替え等を操作するメニューとを画面上に表示し、ユーザが当該メニューに従って操作する等した後、当該一つのコンテンツをフォーカスしたときに、当該コンテンツに関連付けられた関連情報を再生するものであってもよい。
【０１７２】
＜実施の形態２＞
本発明の他の実施の形態について図１３及び１４に基づいて説明すれば、以下の通りである。なお、説明の便宜上、実施の形態１に係る構成要素と同様の機能を有する構成要素には同一の番号を付し、その説明を省略する。本実施の形態では、主に、上記実施の形態１との相違点について説明するものとする。
【０１７３】
本実施の形態では、ユーザが、一つのコンテンツをフォーカスして、当該コンテンツに関連付けられた関連情報を途中まで再生した後に、一旦別のコンテンツをフォーカスして、再度同じコンテンツをフォーカスした場合に当該関連情報を途中から再生する形態について説明する。
【０１７４】
〔テレビ２００の構成〕
まずテレビ２００の構成について図１３を用いて説明する。図１３は本実施の形態に係るテレビ２００の概略構造を示すブロック図である。
【０１７５】
図１３に示すように、本実施の形態に係るテレビ２００は、制御部２１０を備えている。制御部２１０は、関連情報処理部２１５、再生状態記憶部（再生状態記憶手段）２１６を備えている。
【０１７６】
関連情報処理部２１５は、後述する再生状態記憶部２１６から、過去に再生した関連情報の再生状態を示す再生状態情報を読み取る機能を有する以外は、実施の形態１で説明した関連情報処理部１１５と同じである。
【０１７７】
再生状態記憶部２１６は、本発明に係るコンテンツ表示装置が備える再生状態記憶手段として機能するものである。具体的には、一度再生した関連情報１３が、再生開始からどの時点まで再生されたかや、関連情報１３が動画であれば、どのコマまで再生されたかを示す再生状態情報を記憶するものである。再生状態記憶部２１６は、例えば、フラッシュメモリー、ＲＡＭ、ＨＤＤ等により構成してもよい。また、本実施の形態では、再生状態記憶部２１６は制御部１１０内に内蔵されているが、記憶部１０２と一体に設けてもよいし、テレビ１００に外付けされるものであってもよい。
【０１７８】
〔テレビ２００の動作〕
次に、図１４を用いて、関連情報処理部２１５による関連情報１３の再生パターンの一例について説明する。図１４は、関連情報処理部２１５が行なう処理のフローの変形例を示すフローチャートである。
【０１７９】
図１４に示すように、ステップＳ７０５までは図７を用いて説明した関連情報処理部１１５の処理のフローと同じである。
【０１８０】
ステップＳ７０５において、関連情報処理部２１５が、受信したフォーカス情報により特定される表示領域のコンテンツに、動画が関連付けられていると判定した場合、ステップＳ１４０１の処理に移る。
【０１８１】
ステップＳ１４０１では、関連情報処理部２１５は、フォーカスされたコンテンツに関連付けられている動画を、過去に再生したことがあるか否かを判定する。具体的には、再生状態記憶部２１６が、過去に当該動画を再生した履歴を記録しているか否かを判定する。当該動画を再生したとの履歴があれば、前回どのコマまで再生したかを、当該履歴を参照することで判定する（Ｓ１４０２）。前回、最後のコマまで再生していれば、関連情報処理部２１５は当該動画を最初から再生する（Ｓ１４０３）。前回、途中のコマまで再生してれば、関連情報処理部２１５はそのつづきから再生する（Ｓ１４０４）。ステップＳ１４０１において、過去に当該動画を再生したことがないと判定すれば、関連情報処理部２１５は当該動画を最初から再生する。
【０１８２】
本実施の形態では、前回フォーカスされたコンテンツが再度フォーカスされた場合、当該コンテンツに関連付けられている関連情報１３を、前回の途中から再生する場合について説明したがこれに限定されない。関連情報処理部２１５は、前回、関連情報１３を途中まで再生していたとしても、最初から再生するものであってもよい。また、関連情報１３、個々のコンテンツに対応する個々の記事データ１２、又は、これらの記事データ１２が組み込まれている画面レイアウト記述１１に、再度当該記事データ１２が指定された場合における関連情報１３の再生方法を規定する記述が関連付けられているとき、関連情報処理部２１５は当該記述に従って関連情報１３を再生するものであってもよい。
【０１８３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１８４】
最後に、テレビ１００、２００の各ブロック、特に制御部１１０、２１０は、ハードウェアロジックによって構成してもよいし、次のようにＣＰＵを用いてソフトウェアによって実現してもよい。
【０１８５】
すなわち、制御部１１０、２１０は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである制御部１１０の制御プログラムのプログラムコード（実行形式プログラム、中間コードプログラム、ソースプログラム）をコンピュータで読み取り可能に記録した記録媒体を、上記制御部１１０、２１０に供給し、そのコンピュータ（またはＣＰＵやＭＰＵ）が記録媒体に記録されているプログラムコードを読み出し実行することによっても、達成可能である。
【０１８６】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１８７】
また、制御部１１０を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１８８】
本発明に係るコンテンツ表示装置は、コンテンツに関連付けられた関連情報を簡便に再生できるので、例えば、コンテンツとして電子雑誌を表示するテレビジョン受像機として好適に利用することができる。
【図面の簡単な説明】
【０１８９】
【図１】本発明の一実施形態に係るテレビの概略構成を示すブロック図である。
【図２】図１に示したテレビに付属のリモコンの概略構成を模式的に示す図であり、図２の（ａ）はリモコンの外観を示し、図２の（ｂ）はリモコンの要部を概略的に示す。
【図３】図１に示したテレビの表示部が表示する誌面画面の一例の構成を模式的に示す図である。
【図４】図１に示したテレビが取得及び／又は記憶する誌面コンテンツデータのデータ構造を模式的に示す図である。
【図５】図４に示した誌面コンテンツデータの画面レイアウト記述の構成を模式的に示す図である。
【図６】図１に示したテレビの誌面コンテンツデータ取得部が行なう処理のフローを示すフローチャートである。
【図７】図１に示したテレビの関連情報処理部が行なう処理のフローを示すフローチャートである。
【図８】図１に示したテレビの関連情報処理部が関連情報を再生するパターンの一例を模式的に示す図である。
【図９】図１に示したテレビの関連情報処理部が関連情報を再生するパターンの一例を模式的に示す図である。
【図１０】図１に示したテレビの関連情報処理部が関連情報を再生するパターンの一例を模式的に示す図である。
【図１１】図１に示したテレビの関連情報処理部が関連情報を再生するパターンの一例を模式的に示す図である。
【図１２】図１に示したテレビの関連情報処理部が関連情報を再生するパターンの一例を模式的に示す図である。
【図１３】本発明の他の実施形態に係るテレビの概略構造を示すブロック図である。
【図１４】図１３に示したテレビの関連情報処理部が行なう処理のフローを示すフローチャートである。
【符号の説明】
【０１９０】
１１、１１ａ、１１ｂ    画面レイアウト記述
１２、１２ａ〜１２ｇ    記事データ
１３    関連情報
２０ａ〜２０ｇ    誌面画面
２１〜２５    コンテンツ
１００、２００    テレビ（コンテンツ表示装置）
１０１    通信部
１０２    記憶部
１０３    表示部
１０４    リモコン信号受信部（指示受付手段）
１１０    制御部
１１１    誌面コンテンツデータ取得部
１１２    リモコン信号解析部
１１３    誌面コンテンツデータ処理部
１１４    関連情報検出部（関連情報検出手段）
１１５、２１５    関連情報処理部（関連情報処理手段）
２１６    再生状態記憶部（再生状態記憶手段）
【図１】
2009043194.tif 000003
【図２】
2009043194.tif 000004
【図３】
2009043194.tif 000005
【図４】
2009043194.tif 000006
【図５】
2009043194.tif 000007
【図６】
2009043194.tif 000008
【図７】
2009043194.tif 000009
【図８】
2009043194.tif 000010
【図９】
2009043194.tif 000011
【図１０】
2009043194.tif 000012
【図１１】
2009043194.tif 000013
【図１２】
2009043194.tif 000014
【図１３】
2009043194.tif 000015
【図１４】
2009043194.tif 000016